(57)【要約】【課題】遠隔操作により、被検体の磁気共鳴映像を正確に撮像することができる医療用イメージング装置の遠隔操作システムを提供する。【解決手段】移動車両の内部に、被検体の磁気共鳴画像を撮像する磁気共鳴映像撮像装置と、撮像操作および画像制御をおこなう第一の制御装置とを備え、移動車両と離隔した場所に設けた遠隔操作室に、磁気共鳴映像撮像装置の撮像操作基準となる撮像パラメータの設定を遠隔的におこなう第二の制御装置とを備え、第一の制御装置と第二の制御装置間での撮像パラメータおよび情報データの送受信は光ファイバなどの通信媒体を介しておこなう。【選択図】　　　図１
2004041489.tif 000002
【特許請求の範囲】
【請求項１】
移動可能な車両の内部に、被検体のイメージング映像を撮像するイメージング装置と、当該イメージング装置の撮像操作および撮像制御をおこなう第一の制御装置とを備え、前記車両と離隔した場所に設けられた遠隔操作室に、前記イメージング装置の操作手順である撮像パラメータの設定を遠隔的におこなう第二の制御装置を備えた医療用イメージング装置の遠隔操作システムであって、
前記撮像パラメータおよび伝達情報データの送受信は、前記車両の第一の制御装置と遠隔操作室の第二の制御装置との間で通信媒体を介しておこなうことを特徴とする医療用イメージング装置の遠隔操作システム。
【請求項２】
前記イメージング装置は、勾配磁場を発生する勾配磁場発生手段、静磁場を発生する静磁場発生磁石およびＲＦコイルを設けたマグネットアセンブリを備え、該マグネットアセンブリ内に載置した前記被検体の磁気共鳴映像を撮像する磁気共鳴映像撮像装置であることを特徴とする請求項１に記載の医療用イメージング装置の遠隔操作システム。
【請求項３】
前記第二の制御装置は、前記第一の制御装置に対して、前記磁気共鳴映像撮像装置に関する撮像パラメータの設定情報を前記通信媒体を介して送信し、前記第一の制御装置は、前記第二の制御装置に対して、前記撮像パラメータに基づいて撮像した前記被検体の撮像画像データを前記通信媒体を介して送信することを特徴とする請求項２に記載の医療用イメージング装置の遠隔操作システム。
【請求項４】
前記撮像パラメータの設定は、前記被検体の患部を撮像するとともに、前記患部に対する撮像位置を限定する第一の撮像パラメータ設定工程と、当該第一の撮像パラメータ設定工程により限定された前記患部の位置を拡大して撮像する第二の撮像パラメータ設定工程とを備え、前記第一の撮像パラメータの設定により撮像された撮像データに基いて、前記第二の撮像パラメータの設定が調整され、当該第二の撮像パラメータの設定による撮像操作に基いて、前記被検体の撮像がおこなわれることを特徴とする請求項２または３に記載の医療用イメージング装置の遠隔操作システム。
【請求項５】
前記車両には、当該車両の内部を撮像する撮像手段をさらに備え、前記遠隔操作室には前記撮像手段により撮像された映像データを画像データとしてリアルタイムに画像化する撮像モニタをさらに備えることを特徴とする請求項２、３または４に記載の医療用イメージング装置の遠隔操作システム。
【請求項６】
前記車両の内部および前記遠隔操作室の内部のそれぞれには、音声による伝達情報の入力および出力をおこなう音声入出力手段をさらに備えることを特徴とする請求項２から５のいずれか一つに記載の医療用イメージング装置の遠隔操作システム。
【請求項７】
前記車両側の音声入出力手段と前記遠隔操作室側の音声入出力手段により送受信された伝達情報データに基いて、前記撮像パラメータの設定が再設定或いは調整されることを特徴とする請求項２から６のいずれか一つに記載の医療用イメージング装置の遠隔操作システム。
【請求項８】
前記第一の制御装置には、前記撮像パラメータの設定をおこなう機能をさらに備えることを特徴とする請求項２から７のいずれか一つに記載の医療用イメージング装置の遠隔操作システム。
【請求項９】
被検体のイメージング映像を撮像するイメージング装置を備えた検査室と、当該検査室と離隔した場所に設けられた遠隔操作室に、前記イメージング装置の操作手順となる撮像パラメータの設定を遠隔的におこなう制御装置を備えた医療用イメージング装置の遠隔操作システムであって、
前記検査室には、当該検査室の内部を撮像する撮像手段と、
音声による伝達情報の入力および出力をおこなう音声入出力手段とを備え、
前記遠隔操作室には、前記撮像手段により撮像された映像データを画像データとしてリアルタイムに画像化する撮像モニタと、
音声による伝達情報の入力および出力をおこなう音声入出力手段とを備え、
前記撮像パラメータおよび伝達情報データの送受信は、前記検査室と前記制御装置との間で通信媒体を介しておこなうことを特徴とする医療用イメージング装置の遠隔操作システム。
【請求項１０】
前記イメージング装置は、勾配磁場を発生する勾配磁場発生手段、静磁場を発生する静磁場発生磁石およびＲＦコイルを設けたマグネットアセンブリを備え、該マグネットアセンブリ内に載置した前記被検体の磁気共鳴映像を撮像する磁気共鳴映像撮像装置であることを特徴とする請求項９に記載の医療用イメージング装置の遠隔操作システム。
【請求項１１】
前記第二の制御装置は、前記第一の制御装置に対して、前記磁気共鳴映像撮像装置に関する撮像パラメータの設定情報を前記通信媒体を介して送信し、前記第一の制御装置は、前記第二の制御装置に対して、前記撮像パラメータに基づいて撮像した前記被検体の撮像画像データを前記通信媒体を介して送信することを特徴とする請求項１０に記載の医療用イメージング装置の遠隔操作システム。
【請求項１２】
前記撮像パラメータの設定は、前記被検体の患部を撮像するとともに、前記患部に対する撮像位置を限定する第一の撮像パラメータ設定工程と、当該第一の撮像パラメータ設定工程により限定された前記患部の位置を拡大して撮像する第二の撮像パラメータ設定工程とを備え、前記第一の撮像パラメータの設定により撮像された撮像データに基いて、前記第二の撮像パラメータの設定が調整され、当該第二の撮像パラメータの設定による撮像操作に基いて、前記被検体の撮像がおこなわれることを特徴とする請求項１０または１１に記載の医療用イメージング装置の遠隔操作システム。
【発明の詳細な説明】
【０００１】
【発明の属する技術分野】
この発明は、移動車両に搭載したイメージング装置（ＭＲＩ装置）の操作を通信媒体を介して遠隔的におこなうイメージング装置の遠隔操作システムに関し、特に遠隔操作室からイメージング装置の撮像パラメータを設定することにより、イメージング装置の操作方法に精通していなくても被検体のイメージング映像を正確に撮像することができる医療用イメージング装置の遠隔操作システムに関する。
【０００２】
【従来の技術】
従来から、被検体のイメージング映像を撮像するイメージング装置としては、核磁気共鳴現象を用いて撮影対象物の内部構造を画像化する磁気共鳴映像撮像装置（以下、「ＭＲＩ装置」と称する）が知られている。核磁気共鳴現象は生体に対して無害であるため、ＭＲＩ装置は、特に医療用として有用であり、全身の精密検査や脳腫瘍の診断などに用いられている。
【０００３】
この核磁気共鳴現象とは、一様な静磁場が印加された物体において、物体を構成する原子の原子核のスピン方向が揃い、静磁場の強度に比例した周波数（以下、「共鳴周波数」と称する）の電磁波を吸収、放出する現象である。ＭＲＩ装置は、特定の核種（主に水素原子）に対して核磁気共鳴現象を利用することで、撮影対象物の任意の断層面を任意の厚さで画像化することができる。
【０００４】
核磁気共鳴現象を用いて撮影対象物の内部構造を画像化する場合、位置情報を調べるために、静磁場とは別に空間的および時間的に変動する勾配磁場を撮影対象物に対して印加する。勾配磁場を印加することによって、撮影対象物に印加される磁場は場所によって異なることとなり、撮影対象物を構成する各原子の共鳴周波数は場所によって変化する。したがって、勾配磁場を印加して一定範囲の周波数の磁気共鳴信号を受信し画像にすることで、撮影対象物の任意の断層面の任意の厚さの画像を得ることができる。
【０００５】
そして、近年では、上述したＭＲＩ装置を専用の自動車（大型トラック）に搭載し、移動診療を可能にした車載型の移動式ＭＲＩ装置によるメディカルモバイルサービス（移動診療）が普及している。この移動式ＭＲＩ装置は、主に次の（１）〜（３）の用途として利用されている。
【０００６】
（１）病院に据置されたＭＲＩ装置が何らかの故障や災害などにより稼動できなくなった際の、緊急時に指定された病院や災害地域に直接出向いてＭＲＩ診療を行う。
（２）ＭＲＩ装置が設置されていない地域（遠隔地や過疎地）におけるＭＲＩ検査時に、直接、対象となる地域に移動式ＭＲＩ装置を派遣してＭＲＩ診療をおこなう。
（３）新しくＭＲＩ装置を購入した際、旧ＭＲＩ装置との入れ替え作業期間（通常２週間程度）の代替品（レンタル）としての臨時使用に用いる。
【０００７】
移動式ＭＲＩ装置によるＭＲＩ検査で撮像された被検体（患者）の検査データ（静止画像データ）は、ＭＲＩ診療を専門とする病院などにＮＴＴ回線やＣＡＴＶ回線を通じて転送され、転送先の病院の医師や放射線技師による詳細な読影検査がおこなわれる。そして、この読影検査による検査結果に基いて再検査や手術、入院などが患者本人に通知されるとともに適切な診療処理がおこなわれる。
【０００８】
【発明が解決しようとする課題】
しかしながら、上述した従来の医療用イメージング装置の遠隔システムでは、以下のような問題があった。すなわち、（１）新しいＭＲＩ装置に入れ替えた際に、必ずしも以前と同種類のＭＲＩ装置が再度設置されるとは限らない。このため、他のメーカーのＭＲＩ装置が据置される場合には、操作手順である撮像パラメータによる操作方法が異なるため、操作の習得に時間が掛かり診療業務に支障を来たす恐れがある。また、一時的に代替品としてレンタルされたＭＲＩ装置の操作に精通したオペレータを常駐させることなどが考えらえるが、この場合、人件費に伴うコストが嵩む原因となり好ましくない。
【０００９】
（２）また、病院にＭＲＩ装置が常設されている場合でもＭＲＩ装置の操作は複雑であるとともに、操作方法を確実に習得するには多くの時間を必要とする。つまり、ＭＲＩ装置の操作を担当する医師や放射線技師は専門の講習会などに参加して操作技術を習得するが、実際の医療現場では操作方法を完全に習得するには時間がかかり、操作方法が不明の場合には、操作説明書を見るかメーカーに問い合わせて操作を確認する必要がある。このため、ＭＲＩ検査に緊急を要する場合には、対応が難しくなり診療に大きな支障を生じる恐れがある。
【００１０】
本発明は、上記従来技術の欠点に鑑みてなされたものであって、イメージング装置（ＭＲＩ装置）の操作方法に精通していない場合であっても、ＭＲＩ検査を遠隔操作により効率的且つ正確に支援することができる医療用イメージング装置の遠隔操作システムを提供することを目的とする。
【００１１】
【課題を解決するための手段】
上述した課題を解決し、目的を達成するため、第１の観点にかかる発明は、移動可能な車両の内部に、被検体のイメージング映像を撮像するイメージング装置と、当該イメージング装置の撮像操作および撮像制御をおこなう第一の制御装置とを備え、前記車両と離隔した場所に設けられた遠隔操作室に、前記イメージング装置の操作手順である撮像パラメータの設定を遠隔的におこなう第二の制御装置を備えた医療用イメージング装置の遠隔操作システムであって、前記撮像パラメータおよび伝達情報データの送受信は、前記車両の第一の制御装置と遠隔操作室の第二の制御装置との間で通信媒体を介しておこなうことを特徴とする。
【００１２】
この第１の観点にかかる発明によれば、移動車両の内部に、イメージング装置と、撮像操作および画像制御をおこなう第一の制御装置とを備えており、この移動車両と離隔した場所に設けられた遠隔操作室にイメージング装置の操作手順となる撮像パラメータの設定をおこなう第一の制御装置を備え、移動車両と遠隔操作室との両者間で撮像パラメータおよび情報データの送受信は通信媒体を介して遠隔的におこなうので、遠隔操作室から設定された撮像パラメータに基いて、遠隔操作により被検体のイメージング映像の撮像を効率的且つ正確におこなうことができる。
【００１３】
第２の観点にかかる発明は、第１の観点にかかる発明において、前記イメージング装置は、勾配磁場を発生する勾配磁場発生手段、静磁場を発生する静磁場発生磁石およびＲＦコイルを設けたマグネットアセンブリを備え、該マグネットアセンブリ内に載置した前記被検体の磁気共鳴映像を撮像する磁気共鳴映像撮像装置であることを特徴とする。
【００１４】
この第２の観点にかかる発明によれば、前記イメージング装置は、勾配磁場を発生する勾配磁場発生手段、静磁場を発生する静磁場発生磁石およびＲＦコイルを設けたマグネットアセンブリを備え、該マグネットアセンブリ内に載置した前記被検体の磁気共鳴映像を撮像する磁気共鳴映像撮像装置であるので、遠隔操作室から設定された撮像パラメータに基いて、遠隔操作により被検体の磁気共鳴映像の撮像を効率的且つ正確におこなうことができる。
【００１５】
第３の観点にかかる発明は、第２の観点にかかる発明において、前記第二の制御装置は、前記第一の制御装置に対して、前記磁気共鳴映像撮像装置に関する撮像パラメータの設定情報を前記通信媒体を介して送信し、前記第一の制御装置は、前記第二の制御装置に対して、前記撮像パラメータに基づいて撮像した前記被検体の撮像画像データを前記通信媒体を介して送信することを特徴とする。
【００１６】
この第３の観点にかかる発明によれば、前記第二の制御装置は、前記第一の制御装置に対して、前記磁気共鳴映像撮像装置に関する撮像パラメータの設定情報を前記通信媒体を介して送信し、前記第一の制御装置は、前記第二の制御装置に対して、前記撮像パラメータに基づいて撮像した前記被検体の撮像画像データを前記通信媒体を介して送信するので、ＭＲＩ検査を直接実施する放射線技師などのオペレータがＭＲＩ装置の操作方法に精通していない場合であっても、遠隔操作室から設定される撮像パラメータに基いて、遠隔操作により被検体の磁気共鳴映像の撮像を効率的且つ正確におこなうことができる。
【００１７】
第４の観点にかかる発明は、第２または第３の観点にかかる発明において、前記撮像パラメータの設定は、前記被検体の患部を撮像するとともに、前記患部に対する撮像位置を限定する第一の撮像パラメータ設定工程と、当該第一の撮像パラメータ設定工程により限定された前記患部の位置を拡大して撮像する第二の撮像パラメータ設定工程とを備え、前記第一の撮像パラメータの設定により撮像された撮像データに基いて、前記第二の撮像パラメータの設定が調整され、当該第二の撮像パラメータの設定による撮像操作に基いて、前記被検体の撮像がおこなわれることを特徴とする。
【００１８】
この第４の観点にかかる発明によれば、前記撮像パラメータの設定は、前記被検体の患部を撮像するとともに、前記患部に対する撮像位置を限定する第一の撮像パラメータ設定工程と、当該第一の撮像パラメータ設定工程により限定された前記患部の位置を拡大して撮像する第二の撮像パラメータ設定工程とを備え、前記第一の撮像パラメータの設定により撮像された撮像データに基いて、前記第二の撮像パラメータの設定が調整され、当該第二の撮像パラメータの設定による撮像操作に基いて、前記被検体の撮像がおこなわれるので、第一の撮像パラメータの設定と第二の撮像パラメータの設定とを合わせて、より詳細且つ正確に被検体の磁気共鳴映像を撮像することができる。
【００１９】
第５の観点にかかる発明は、第２、第３または第４の観点にかかる発明において、前記車両には、当該車両の内部を撮像する撮像手段をさらに備え、前記遠隔操作室には前記撮像手段により撮像された映像データを画像データとしてリアルタイムに画像化する撮像モニタをさらに備えることを特徴とする。
【００２０】
この第５の観点にかかる発明によれば、移動車両の内部を撮像した撮像手段からの映像データは、遠隔操作室に備えた撮像モニタによりリアルタイムで画像データとして画像化されるので、この撮像モニタにより移動車両の内部や患者の動向を常時監視することができるため、撮像パラメータの設定にともなう的確な対応や送信された画像診断を正確におこなうことができる。
【００２１】
第６の観点にかかる発明は、第２から第５の観点のいずれか一つに記載の発明において、前記車両の内部および前記遠隔操作室の内部のそれぞれには、音声による伝達情報の入力および出力をおこなう音声入出力手段をさらに備えることを特徴とする。
【００２２】
この第６の観点にかかる発明によれば、音声入出力手段による移動車両と遠隔操作室との情報の伝達に基いて、移動車両側のオペレータおよび患者と遠隔操作室側の放射線技師との確実な意志の伝達をおこなうことができる。
【００２３】
第７の観点にかかる発明は、第２から第６の観点のいずれか一つに記載の発明において、前記車両側の音声入出力手段と前記遠隔操作室側の音声入出力手段により送受信された伝達情報データに基いて、前記撮像パラメータの設定が再設定或いは調整されることを特徴とする。
【００２４】
この第７の観点にかかる発明によれば、音声入出力手段による移動車両と遠隔操作室との情報の伝達に基いて、撮像パラメータの設定が再設定或いは調整されるので、移動車両側のオペレータおよび患者と遠隔操作室側の放射線技師との確実な意志の伝達により、正確に撮像パラメータの設定をおこなうことができる。
【００２５】
第８の観点にかかる発明は、第２から第７の観点のいずれか一つに記載の発明において、前記第一の制御装置には、前記撮像パラメータの設定をおこなう機能をさらに備えることを特徴とする。
【００２６】
この第８の観点にかかる発明によれば、第一の制御装置によっても撮像の操作基準となる撮像パラメータの設定をおこなうことができるので、遠隔操作室からの遠隔操作による設定がない場合でも撮像パラメータの設定をおこなうことができるうえ、遠隔操作による撮像パラメータの設定とともに、より詳細且つ正確に被検体の磁気共鳴映像を撮像することができる。
【００２７】
第９の観点にかかる発明は、被検体のイメージング映像を撮像するイメージング装置を備えた検査室と、当該検査室と離隔した場所に設けられた遠隔操作室に、前記イメージング装置の操作手順となる撮像パラメータの設定を遠隔的におこなう制御装置を備えた医療用イメージング装置の遠隔操作システムであって、前記検査室には、当該検査室の内部を撮像する撮像手段と、音声による伝達情報の入力および出力をおこなう音声入出力手段とを備え、前記遠隔操作室には、前記撮像手段により撮像された映像データを画像データとしてリアルタイムに画像化する撮像モニタと、音声による伝達情報の入力および出力をおこなう音声入出力手段とを備え、前記撮像パラメータおよび伝達情報データの送受信は、前記検査室と前記制御装置との間で通信媒体を介しておこなうことを特徴とする。
【００２８】
この第９の観点にかかる発明によれば、被検体のイメージング映像を撮像するイメージング装置を備えた検査室と、当該検査室と離隔した場所に設けられた遠隔操作室に、前記イメージング装置の操作手順となる撮像パラメータの設定を遠隔的におこなう制御装置を備えた医療用イメージング装置の遠隔操作システムであって、前記検査室には、当該検査室の内部を撮像する撮像手段と、音声による伝達情報の入力および出力をおこなう音声入出力手段とを備え、前記遠隔操作室には、前記撮像手段により撮像された映像データを画像データとしてリアルタイムに画像化する撮像モニタと、音声による伝達情報の入力および出力をおこなう音声入出力手段とを備え、前記撮像パラメータおよび伝達情報データの送受信は、前記検査室と前記制御装置との間で通信媒体を介しておこなうので、遠隔操作室から設定された撮像パラメータに基いて、遠隔操作により被検体のイメージング映像の撮像を効率的且つ正確におこなうことができる。
【００２９】
第１０の観点にかかる発明は、第９の観点に記載の発明において、前記イメージング装置は、勾配磁場を発生する勾配磁場発生手段、静磁場を発生する静磁場発生磁石およびＲＦコイルを設けたマグネットアセンブリを備え、該マグネットアセンブリ内に載置した前記被検体の磁気共鳴映像を撮像する磁気共鳴映像撮像装置であることを特徴とする。
【００３０】
この第１０の観点にかかる発明によれば、前記イメージング装置は、勾配磁場を発生する勾配磁場発生手段、静磁場を発生する静磁場発生磁石およびＲＦコイルを設けたマグネットアセンブリを備え、該マグネットアセンブリ内に載置した前記被検体の磁気共鳴映像を撮像する磁気共鳴映像撮像装置であるので、遠隔操作室から設定された撮像パラメータに基いて、遠隔操作により被検体の磁気共鳴映像の撮像を効率的且つ正確におこなうことができる。
【００３１】
第１１の観点にかかる発明は、第１０の観点にかかる発明において、前記第二の制御装置は、前記第一の制御装置に対して、前記磁気共鳴映像撮像装置に関する撮像パラメータの設定情報を前記通信媒体を介して送信し、前記第一の制御装置は、前記第二の制御装置に対して、前記撮像パラメータに基づいて撮像した前記被検体の撮像画像データを前記通信媒体を介して送信することを特徴とする。
【００３２】
この第１１の観点にかかる発明によれば、前記第二の制御装置は、前記第一の制御装置に対して、前記磁気共鳴映像撮像装置に関する撮像パラメータの設定情報を前記通信媒体を介して送信し、前記第一の制御装置は、前記第二の制御装置に対して、前記撮像パラメータに基づいて撮像した前記被検体の撮像画像データを前記通信媒体を介して送信するので、ＭＲＩ検査を直接実施する放射線技師などのオペレータがＭＲＩ装置の操作方法に精通していない場合であっても、遠隔操作室から設定される撮像パラメータに基いて、遠隔操作により被検体の磁気共鳴映像の撮像を効率的且つ正確におこなうことができる。
【００３３】
第１２の観点にかかる発明は、第１０または第１１の観点にかかる発明において、前記撮像パラメータの設定は、前記被検体の患部を撮像するとともに、前記患部に対する撮像位置を限定する第一の撮像パラメータ設定工程と、当該第一の撮像パラメータ設定工程により限定された前記患部の位置を拡大して撮像する第二の撮像パラメータ設定工程とを備え、前記第一の撮像パラメータの設定により撮像された撮像データに基いて、前記第二の撮像パラメータの設定が調整され、当該第二の撮像パラメータの設定による撮像操作に基いて、前記被検体の撮像がおこなわれることを特徴とする。
【００３４】
この第１２の観点にかかる発明によれば、前記撮像パラメータの設定は、前記被検体の患部を撮像するとともに、前記患部に対する撮像位置を限定する第一の撮像パラメータ設定工程と、当該第一の撮像パラメータ設定工程により限定された前記患部の位置を拡大して撮像する第二の撮像パラメータ設定工程とを備え、前記第一の撮像パラメータの設定により撮像された撮像データに基いて、前記第二の撮像パラメータの設定が調整され、当該第二の撮像パラメータの設定による撮像操作に基いて、前記被検体の撮像がおこなわれるので、第一の撮像パラメータの設定と第二の撮像パラメータの設定とを合わせて、より詳細且つ正確に被検体の磁気共鳴映像を撮像することができる。
【００３５】
【発明の実施の形態】
以下、図面を参照して本発明の実施の形態に係る医療用イメージング装置の遠隔操作システムについて詳細に説明する。ここで、本実施の形態１ではイメージング装置の一例として磁気共鳴映像撮像装置（ＭＲＩ装置）を適用しているが、ＭＲＩ装置に限らず被検体の断層写真やＸ線写真などの静止画像データを用いる医療画像の伝送装置やその他放射線機器（ＣＴ、ＤＲ等）などの医療用イメージング装置に関しても本発明を適用することができる。
【００３６】
実施の形態１．
図１は、本発明の実施の形態１にかかる磁気共鳴映像撮像装置（ＭＲＩ装置）の遠隔操作システムの全体構成図を、図２は、ＭＲＩ装置の概略構成図を、図３は、遠隔操作システム全体の機能ブロック図をそれぞれ示している。
【００３７】
ここで、本発明の特徴は、移動車両１０に搭載されたＭＲＩ装置１１の操作をおこなうための撮像パラメータなどの設定を、移動車両１０から離隔した位置（遠隔操作室４０）に設けた遠隔操作用のＭＲＩ制御装置４１により通信媒体３５を介して遠隔的に操作をおこなうことにある。
【００３８】
すなわち、図１に示すように移動車両１０側には、ＭＲＩ装置１１と、このＭＲＩ装置１１を操作するためのＭＲＩ制御装置（デスクトップ・コンソール）１２とが据置されている。ＭＲＩ装置１１とＭＲＩ制御装置１２とは、信号ケーブルにより接続されている。移動車両１０には、専用の磁気シールドが施された大型のトラックなどが使用され、この移動車内１０にはＭＲＩ制御装置１２の基本的な操作および患者２１の検査補助をおこなうオペレータ１３が同乗している。
【００３９】
ここで、ＭＲＩ装置１１およびＭＲＩ制御装置１２が搭載される移動車両１０に、電源供給用の電源ユニットを配設した場合には、移動車両１０自体の全長が長くなり大型化してしまうため、電源ユニットは別の車両（小型車両など）に搭載するものとなる。また、後述するように、本発明ではＭＲＩ装置１１の重要な操作は移動車両１０側のオペレータ１３により行われるものではなく、遠隔操作室４０の医師や放射線技師による遠隔操作により行われるため、移動車両１０側に常駐するオペレータ１３は、特に、ＭＲＩ装置１１の操作方法に精通している医者や放射線技師ではなく看護婦などとしてもよい。
【００４０】
図２に示すように、ＭＲＩ装置１１は、最外周にリング状の静磁場発生磁石１６、１７を配し、その内側に円筒状の勾配磁場発生コイル１８を設けている。これら静磁場発生磁石１６、１７および勾配磁場発生コイル１８によりマグネットアセンブリ１９を構成する。また、勾配磁場発生コイル１８の内側に円筒状のＲＦコイル２０を設け、このＲＦコイル２０の内部に患者（被検体）２１を載置した検査台２２を搬入可能としている。
【００４１】
ここで、本発明に適用するＭＲＩ装置には、垂直磁場型或は永久磁石型を採用することができるが、一般に永久磁石型のＭＲＩ装置の場合、マグネット重量が嵩むため（９トン程度）、好ましくは、重量が嵩まないうえ、永久磁石型ＭＲＩ装置より画質も良く用途が広い超伝導高磁場ＭＲＩ装置（例えば、１．５テスラ超伝導ＭＲＩ装置「Ｓｉｇｎａ　ＴｗｉｎＳｐｅｅｄ　１．５Ｔ」）を移動車両１０に搭載するものとする。
【００４２】
ＭＲＩ制御装置１２は、ＭＲＩ装置１１のコントローラとしての操作機能を有する装置で、撮像画像を生成する磁気共鳴画像生成部２３、撮像画像を処理する撮像画像処理部２４、撮像画像データ処理部２５を備えた制御部２６、表示部２７、入力部２８とを備えている。
【００４３】
磁気共鳴画像生成部２３は、静磁場発生磁石１６、１７、勾配磁場発生コイル１８、ＲＦコイル２０（図２）にそれぞれ接続され、静磁場発生磁石１６、１７および勾配磁場発生コイル１８に対して電力を供給してマグネットアセンブリ１９内に静磁場および勾配磁場を印加する処理をおこなう。
【００４４】
また、磁気共鳴映像生成部２３により、ＲＦコイル２０からマグネットアセンブリ１９内に電磁波を照射して患者２１に共鳴周波数の電磁波を吸収させるとともに、患者２１から放出された共鳴周波数の電磁波をＲＦコイル２０によって吸収し、吸収した電磁波をもとに磁気共鳴映像を生成する。
【００４５】
撮像画像処理部２４は、上述のようにして撮像された、磁気共鳴映像の画像データの加工、編集などの処理を行う。この画像データは、患者２１の患部を複数にスライスした断層撮像データとして取り込まれ処理される。
【００４６】
表示部２７にはディスプレイ（ＣＲＴ）などが使用され、この表示部２７にはＭＲＩ装置１１の撮像初期設定や撮像処理を制御するための重要な撮像パラメータ設定を行うコントロール画面が表示される。
【００４７】
入力部２８は、キーボードやマウス（トラックボール）などが使用され、表示部２７に表示されるコントロール画面に配設された設定キーやスイッチをマウスによりクリックすることにより各種の撮像パラメータの設定を行うことができる。また、この入力部２８は、テンキー操作によりデータを入力したり、設定されたデータの修正（追加、変更、削除）を行う操作機能を有している。
【００４８】
具体的には、このコントロール画面に表示される機能選択キーを操作して撮像パラメータを設定することによりＭＲＩ装置１１で患者２１の磁気共鳴映像を撮像し、所望の撮像データ（静止画像）を取得することができる。この撮像された画像データはコントロール画面のグラフィック表示部に表示される。
【００４９】
撮像パラメータには、患者の名前、年齢、体重、フリップアングル、受信バンド幅、撮像位置、撮像視野（ＦＯＶ）など撮像に必要な基本のパラメータが複数の項目として設定される。さらに、この撮像パラメータには、スキャンの実行、リストパルスシーケンス、イメージングオプション、などのスキャンパラメータの概要の設定、ＴＥやＴＲなどのスキャンタイミングの設定、画像のコントラスト、スキャン範囲の設定、画像の空間分解能を決定する設定、スキャン時間の設定などのパラメータがある。撮像パラメータの種類は撮像方法により異なり、その都度それぞれ設定する。
【００５０】
また、撮像画像データ処理部２５により加工、編集などの処理が施された画像データを変換して遠隔操作室４０側に伝送することができる。ここで、撮像された画像データの送信は、静止画像のため通常はインターネット系のＧｉｆによるファィルフォーマットが適用される。また、撮像画像データ処理部２５に静止画／動画変換部としての機能を持たせることにより、静止画像データを動画像データとすることもできる。
【００５１】
具体的には、多数枚の静止画像を動画像に変換するために、各静止画データを時系列に並べ、それらをデジタルビデオフォーマットの各フレームに１枚ずつ埋め込んでデジタルビデオ信号を作成し、これにより多数枚の静止画像をコマ送りすることにより得られる動画像を作成する。
【００５２】
ここで、画像データのファイルとしては、通信媒体３５を利用したインターネット回線を介して移動車両１０と遠隔操作室４０との間で送受信できるタイプのものであれば、いかなるファイルフォーマットとされていてもよく、具体的には、ＢＭＰ形式、ＴＩＦ形式、ＰＣＸ形式、ＪＩＦ形式、といったこれまで知られているいかなる形式でも用いることができる。
【００５３】
また、３０は、音声入出力手段で、この音声入出力手段３０は、マイク３１とスピーカ３２とを有するインターコムシステム（ｉｎｔｅｒｃｏｍ　ｓｙｓｔｅｍ）を適用することができる。マイク３１は、オペレータ１３或いは患者２１の近傍付近に設けられ、スピーカ３２は、ＭＲＩ制御装置１２の上方から傾斜した位置に設けられている。
【００５４】
オペレータ１３は、マイク３１を利用して音声により遠隔操作室４０内の放射線技師５５に患者２１の動向を伝えたり、ＭＲＩ制御装置１２の操作状況を伝達することができる。また、スピーカ３２により遠隔操作室４０の放射線技師５５からの操作指示やアドバイスを聞くことができる。ここで、患者２１の近傍（口元付近）にマイク３１を設けた場合には、このマイク３１から直接放射線技師５５に要望などを伝達することができるうえ、放射線技師５５からは患者２１に対して各種の指示を確実に伝達することができる。
【００５５】
また、３３は撮像手段で、この撮像手段３３には、監視用カメラ（ビデオカメラ）などが使用され移動車両１０の内部やオペレータ１３および患者２１の状態や動向を監視することができる。この撮像手段５２により撮影された映像は画像データとして遠隔操作室４０に送信され、撮像モニタ５２によりリアルタイムで映し出される。音声入出力手段３０および撮像手段３３は、入出力制御部３４によりその入出力が制御される。
【００５６】
３６は、通信インターフェースとしての機能を有するＩ／Ｆ部（インターフェース部）で、このＩ／Ｆ部３６は、ネットワークとしての通信媒体３５を介して遠隔操作室側４０のＩ／Ｆ部５４と相互に通信自在となっている。後述するように、これらＩ／Ｆ部３６、５４と通信媒体３５間でＭＲＩ装置１１により撮像された撮像データや情報データの送受信を相互に行うことができる。
【００５７】
ここで、通信媒体３５としては、インターネット回線による光ファイバケーブルを使用した有線による光ファイバ通信を使用することができる。この光ファイバケーブルによる光ファイバ通信を使用した場合には、コストも低価格となり電磁波による影響も少ないうえ、高速で大容量の画像データ通信を実現することができる。つまり、通信媒体３５が光ファイバによる光通信の場合には、遠隔地などから大量の画像データを高速に伝送できるため通信コストを削減することができる。
【００５８】
なお、光ファイバケーブルを使用する場合には、光ファイバケーブルによる光ファイバ通信網が構築された施設を中継地点として、この中継地点の光ファイバケーブルと移動車両１０側のＩ／Ｆ部３６を光ファイバコネクタにより接続し遠隔操作室４０との間で光ファイバ通信を行う。光ファイバコネクタには接続損失の少ないうえ、着脱が容易となる光ファイバコネクタを選定する。
【００５９】
ここで、本実施の形態１において、実際に通信を必要とするのは、▲１▼撮像パラメータの送信時、▲２▼撮像した画像の受信時、▲３▼患者および室内の様子を映し出すモニター映像の受信時、▲４▼遠隔操作室側と移動車両側との間で音声を伝達する時などである。このため、上述したように光ファイバーケーブルのような大容量の回線の場合には、前記▲１▼〜▲４▼の全てを１回線でおこなうことができるが、病院などのＩＳＤＮ通信回線（１２８Ｋｂ／ｓ）を利用する場合には、１回線のＩＳＤＮ通信だけでは画像受信の遅延などが生じるため、前記▲１▼〜▲４▼をそれぞれ独立回線（４回線）でおこなうのが好ましい。さらに、ＡＤＳＬ回線（８Ｍｂ／ｓ）を通信回線として使用した場合には、▲１▼と▲２▼、▲３▼と▲４▼を同一回線にすることができるため、通信回線の総和を２回線とすることが可能である。
【００６０】
一方、遠隔操作室４０には、移動車両１０側と同様の機能を備えたＭＲＩ制御装置（デスクトップ・コンソール）４１が据置されている。すなわち、図３に示すように、遠隔操作室４０内にはＭＲＩ制御装置４１を備えており、このＭＲＩ制御装置４１は、撮像画像を処理するための撮像画像処理部４２、撮像画像データ処理部４３、表示部４６、入力部４７とを備えている。
【００６１】
また、この遠隔操作室４０には、移動車両１０に据置されたＭＲＩ装置１１の操作に熟練した医師や放射線技師５５（図１）がオペレータとして待機している。後述するように、ＭＲＩ装置１１の操作に精通した放射線技師５５により移動車両１０側のＭＲＩ装置１１を効率良く且つ正確に遠隔操作することができる。なお、遠隔操作室４０内のオペレータは超音波技師５５ではなくＭＲＩ装置６１の製造元であるメーカの担当者などを選定することもできる。
【００６２】
また、遠隔操作室４０には、移動車両１０と同様に音声入出力手段４８が設けられている。この音声入出力手段４８も、マイク５０とスピーカ５１とを有するインターコムシステム（ｉｎｔｅｒｃｏｍ　ｓｙｓｔｅｍ）が適用され、マイク５０は、放射線技師５５の口元などの近傍付近に設けられ、スピーカ５１は、ＭＲＩ制御装置４１の上方から傾斜して設けられている。
【００６３】
後述するように、放射線技師５５は、マイク５０を利用して音声により移動車両１０側のオペレータ１３や患者２１に対して撮像位置（部位）を選定するために身体の向きなどを指示することができる。また、スピーカ５１により移動車両１０側のオペレータ１３や患者２１の音声を聞くことができ、オペレータ１３および患者２１との間で相互のコミュニュケーションを図ることができる。
【００６４】
また、５２は撮像モニタで、この撮像モニタ５２には、移動車両１０側に設けた撮像手段３３により撮像された患者２１およびＭＲＩ装置１１の周辺がリアルタイムで送信され画像データとして映し出される。このため、放射線技師５５は撮像モニタ５２により移動車両１０の内部や患者２１の動向を常時監視することができるため、撮像パラメータの設定にともなう的確な対応や送信された画像診断を正確におこなうことができる。
【００６５】
５４は、通信インターフェースとしての機能を有するＩ／Ｆ部（インターフェース部）５４で、このＩ／Ｆ部５４は、通信媒体３５を介して移動車両１０側のＩ／Ｆ部３６と通信接続されている。そして、これらＩ／Ｆ部３６とＩ／Ｆ部５４との間で撮像パラメータおよび画像データの送受を相互に行うことができる。
【００６６】
次に、図４に示すフローチャートを参照して、遠隔操作システムにより移動車両１０側のＭＲＩ装置１１を遠隔的に操作する手順を詳細に説明する。ここで、以下の説明では脳梗塞の診療のため、頭部（脳）のＭＲＩ検査をおこなう患者のを事例として説明する。
【００６７】
ここで、本発明の医療用イメージング装置の遠隔システムでは、移動車両１０側に常駐するオペレータの役目は、▲１▼患者を、ＭＲＩ装置１１にセッティングし、▲２▼検査が終わったら患者をＭＲＩ装置１１から搬出し、▲３▼緊急時にＭＲＩ装置１１による撮像をストップすることである。一方、ＭＲＩ装置１１における撮像に関する全ての情報（撮像パラメータ、撮影の開始など）は、全て遠隔操作室４０側から送信される。
【００６８】
すなわち、図４に示すフローチャートに示すように、先ず移動車両１０側では、ＭＲＩ検査を実施する前準備が行なわれる（ステップＳ３１０）。具体的には、ＭＲＩ検査の受診対象である被検体（患者）２１をＭＲＩ装置１１の検査台２１に乗せ、患者２１の体位（頭部の向き調整）などのセッティングを行う。この段階は、頭部のどの位置を撮像するかを決めるための頭部の全体像を撮像する「位置決め用の初期撮像」となる。また、この時オペレータ１３によりＭＲＩ装置１１およびＭＲＩ制御装置１２の基本的なセットアップ作業も行なわれる。
【００６９】
一方、遠隔操作室４０側では、放射線技師５５がＭＲＩ制御装置４１のコントロールパネルを操作し、撮像パラメータの基本設定を行う（ステップＳ３２０）。この基本設定である撮像パラメータは、前述したように患者の名前、年齢、体重などの個人データの他、ＭＲＩ撮像に必要なフリップアングル、受信バンド幅、撮像位置、撮像視野（ＦＯＶ）などの撮像パラメータである。
【００７０】
ここで、放射線技師５５は、撮像パラメータの設定を行う際に、撮像モニタ５２にモニタリングされる患者の状態を監視しながら、また、必要であれば、移動車両１０側のオペレータ１３や患者２１に対してにマイク４８を利用して「撮像位置（部位）」などの移動や向きを音声により指示することができる。
【００７１】
ステップＳ３２０の操作により設定された基本設定となる撮像パラメータが移動車両１０側のＭＲＩ制御装置１２に送信される（ステップＳ３３０）。具体的には、ＭＲＩ制御装置４１のＩ／Ｆ部５４から通信媒体３５を介してＩ／Ｆ部３６からＭＲＩ制御装置１２に撮像パラメータが送信される。
【００７２】
この送信された撮像パラメータは、受信データとしてＭＲＩ制御装置１２のコントロールパネル上に表示されるとともに（ステップＳ３４０）、その設定された撮像パラメータに基いてＭＲＩ制御装置１２のコントロールが行われ、ＭＲＩ装置１１による患者２１のＭＲＩ検査（撮像）がおこなわれる（ステップＳ３５０）。
【００７３】
具体的には、遠隔操作室４０から撮像パラメータの受信を確認したオペレータ１３によりＭＲＩ制御装置１２のスタートボタンを押下することにより、設定された撮像パラメータに基いたＭＲＩ装置１１による撮像が行なわれる。この際、より精密な撮像を行うため遠隔操作室４０の放射線技師５５からマイク４８を利用した音声により、移動車両１０側のオペレータ１３に対して直接撮像パラメータの設定変更や調整などの指示を報知するようにしてもよい。
【００７４】
次いで、設定された撮像パラメータに基いて、ＭＲＩ装置１１により撮像された撮像データが遠隔操作室４０に転送される（ステップＳ３６０）。具体的には、撮像データは、移動車両１０側のＭＲＩ制御装置１２のＩ／Ｆ部３８から通信媒体３５を介して遠隔操作室４０のＩ／Ｆ部５８に送信され、ＭＲＩ制御装置４１により受信され、画像データとして保存される（ステップＳ３７０）。
【００７５】
また、この画像データは、コントロールパネルのグラフィック表示部に表示される。前述したように、グラフィック表示部に表示される画像は静止画像であるが動画像とすることもできる。また、移動車両１０側から送信された画像データ（ファイル）から患者名を特定するには、予め患者２１に対して識別標識（ＩＤ番号）付与し、受信した画像データに付与されたＩＤ番号などにより特定することができる。
【００７６】
以下、遠隔操作室４０の放射線技師５５はコントロールパネルのグラフィック表示部にリアルタイムに表示される撮像画像を確認しながら、順次、次の段階の撮像パラメータの再設定を行う（ステップＳ３８０）。この次の段階の撮像パラメータの設定とは、前段階で行った撮像パラメータに基いて、撮像された撮像画像を見て、次の撮像パラメータを判断する設定のことである。
【００７７】
具体的には、通常、脳のＭＲＩ検査の場合、（１）位置決め用の初期撮像、（２）位置決めされた患部を描写するための撮像、（３）患部をより高精密に映し出す撮像、（４）血管の状態を調べる脳の血管の撮像などが順次おこなわれることとなり、撮像パラメータの再設定は、（１）〜（２）で撮像した画像を見て、（３）の撮像方法を決めるときにおこない、次いで、（３）で撮像した画像を見て、（４）の撮像方法を決めるときに、その都度おこなわれる。
【００７８】
この、次の撮像パラメータの設定を行う際にも、撮像モニタ５２にモニタリングされる患者２１の状態を監視しながら、また、グラフィック表示部にリアルタイムに映し出される撮像画像を確認しながら、撮像パラメータの調整を行う。そして、必要であれば、その都度移動車両１０側のオペレータ１３や患者２１に対してマイク５０を利用して「撮像位置（部位）」などの向きを指示する。
【００７９】
図４のフローチャートに戻り、ステップＳ３８０により撮像パラメータの再設定が有るか否かの判定がおこなわれる。これにより、再度の撮像パラメータの設定が有る場合（Ｙｅｓ）、ステップＳ３３０に戻り、その設定された撮像パラメータの設定が移動車両１０側のＭＲＩ制御装置１２に再度送信される。
【００８０】
そして、前記ステップＳ３４０〜ステップ３６０の手順により再度設定された撮像パラメータに基いてＭＲＩ装置１１の撮像がおこなわれ、撮像された撮像データが遠隔操作４０側のＭＲＩ制御装置４１に転送される。この段階で撮像データは、撮像モニタ５２により放射線技師５５が再度確認する。
【００８１】
一方、ステップＳ３８０により撮像パラメータの再設定をおこなわない場合（Ｎｏ）には、ステップＳ３９０に移行し、最適な撮像データの取得がおこなわれたかの判定がなされる。具体的には、最適な撮像データの取得がおこなわれていないと判定された場合には（ステップ３９０否定）、ステップＳ３８０に移行し、再度撮像パラメータの設定がおこなわれるとともに、最適な撮像データの取得がおこなわれるまで、撮像パラメータの設定が繰り返しおこなわれる。そして、放射線技師５５が最適な撮像データを取得したと判定した時点（ステップ３９０肯定）で、ＭＲＩ装置１１によるＭＲＩ検査が終了する（エンド）。
【００８２】
以上説明したように、この実施の形態１では、移動車両１０の内部に、ＭＲＩ装置１１と、撮像操作および撮像制御をおこなうＭＲＩ制御装置１２とを備えており、この移動車両１０と離隔した場所に設けられた遠隔操作室４０にＭＲＩ装置１１の撮像操作基準となる撮像パラメータの設定をおこなうＭＲＩ制御装置４１を備え、移動車両１０と遠隔操作室４０との両者間で撮像パラメータおよび情報データの送受信は通信媒体を介して遠隔的におこなうので、ＭＲＩ検査を直接実施するオペレータがＭＲＩ装置１１の操作方法に精通していなくても、遠隔操作室４０から遠隔的に送信される撮像パラメータに基づく撮像操作により、患者２１に対するＭＲＩ検査を効率的且つ正確におこなうことができる。
【００８３】
実施の形態２．
図５は、本発明の実施の形態２にかかる磁気共鳴映像撮像装置（ＭＲＩ装置）の遠隔操作システムの全体構成図を示している。ここで、この実施の形態２の特徴は、車載型の移動式ＭＲＩ装置が対象ではなく、通常の病院内などに据置されているＭＲＩ装置を対象とするもので、その他の構成は前述した実施の形態１と同様であるため、同様の部分については同一の符号を付して説明を省略する。
【００８４】
すなわち、前記実施の形態１と同様、遠隔操作室４０には、ＭＲＩ制御装置（デスクトップ・コンソール）４１が据置されている。また、この遠隔操作室４０には、病院内の撮像検査室６０に据置されたＭＲＩ装置６１の操作に精通した放射線技師５５がオペレータとして待機している。
【００８５】
また、遠隔操作室４０には、マイク５０とスピーカ５１とを有する音声入出力手段４８が設けられている。マイク５０は、放射線技師５５の口元付近に設けられ、スピーカ５１は、ＭＲＩ制御装置４１の上方から傾斜して設けられている。
【００８６】
また、５２は撮像モニタで、この撮像モニタ５２には、撮像検査室６０側に設けた撮像手段６２により撮像された患者２１およびＭＲＩ装置６１の周辺をリアルタイムで映像化している。このため、超音波技師５５は、撮像手段６２により撮像される患者２１の状態や動向を、撮像モニタ５２により常時監視することができるため撮像パラメータの設定を正確におこなうことができるうえ、ＭＲＩ検査に必要な対応や指示を的確におこなうことができる。
【００８７】
一方、撮像検査室６０にも、マイク６４とスピーカ６３とを有する音声入出力手段６５が設けられている。マイク６４は、患者２１の口元付近に設けられ、スピーカ６３は、ＭＲＩ装置６１の上方に傾斜して設けられている。
【００８８】
そして、前述した実施の形態１と同様、遠隔操作室４０内の超音波技師５５によりＭＲＩ制御装置４１が操作され、コントロールパネルにより撮像パラメータが設定される。この設定された撮像パラメータは通信媒体３５を介して、ＭＲＩ装置６１に送信されるものとなる。本実施の形態２の場合、通信媒体３５は病院内に構築された有線式の光ファイバが使用される。また、本実施の形態２では撮像検査室６０内にＭＲＩ制御装置を設けていないが、撮像パラメータの基本設定や調整用にＭＲＩ制御装置を設ける構成としてもよい。
【００８９】
以上説明したように、この実施の形態２では、病院内の撮像検査室６０に備えたＭＲＩ装置６１の撮像操作基準となる撮像パラメータの設定および情報データの送受信は遠隔操作室４０側の制御装置により通信媒体３５を介して遠隔的におこなうので、ＭＲＩ検査を直接実施するオペレータがＭＲＩ装置６１の操作方法に精通していなくても、遠隔操作室４０から遠隔的に送信される撮像パラメータに基づく撮像操作により、患者２１の磁気共鳴映像を効率的且つ正確におこなうことができる。
【００９０】
【発明の効果】
上述してきたように、本発明によれば、移動車両や病院の内部に据置されたＭＲＩ装置に対して、光ファイバなどの通信媒体を介する遠隔操作によりＭＲＩ装置の撮像操作基準となる撮像パラメータを設定するとともに、その撮像操作および支援をおこなうので、ＭＲＩ検査を直接実施する放射線技師などのオペレータがＭＲＩ装置の操作方法に精通していない場合であっても、遠隔操作室から設定される撮像パラメータに基いて、遠隔操作により被検体の磁気共鳴映像の撮像を効率的且つ正確におこなうことができるうえ、その都度、ＭＲＩ装置の操作に精通したオペレータを常駐させる必要がないため、人件費などのコストダウンを図ることができるという効果を奏する。
【００９１】
また、本発明によれば、移動車両や病院の内部に設けられる音声入出力手段や撮像手段による伝達情報に基いて、撮像パラメータの設定が再設定或いは調整されるので、移動車両や病院内のオペレータおよび患者と遠隔操作室側の放射線技師との確実な意志の伝達により、操作手順となる撮像パラメータの設定をより詳細に且つ、正確におこなうことができるという効果を奏する。
【図面の簡単な説明】
【図１】本発明の実施の形態１にかかる磁気共鳴映像撮像装置の遠隔操作システムを示す概要構成図である。
【図２】磁気共鳴映像撮像装置の概要を示す概要構成図である。
【図３】磁気共鳴映像撮像装置の遠隔操作システムの機能ブロック図を示す全体構成図である。
【図４】磁気共鳴映像撮像装置の遠隔操作システムの処理手順を示すフローチャートである。
【図５】本発明の実施の形態２にかかる磁気共鳴映像撮像装置の遠隔操作システムを示す概要構成図である。
【符号の説明】
１０　移動車両
１１　ＭＲＩ装置
１２、４１　ＭＲＩ制御装置
１３　オペレータ
１６、１７　静磁場発生磁石
１８　勾配磁場発生コイル
２０　ＲＦコイル
２１　患者
２２　検査台
２３　磁気共鳴画像生成部
２４、４２　撮像画像処理部
２７、４６　表示部
２８、４７　入力部
２５、４３　撮像画像データ処理部
３０、４８、６５　音声入出力手段
３１、５０、６４　マイク
３２、５１、６３　スピーカ
３５　通信媒体
３６、５４　Ｉ／Ｆ部
４０　遠隔操作室
５２　撮像モニタ
５５　放射線技師
【図１】
2004041489.tif 000003
【図２】
2004041489.tif 000004
【図３】
2004041489.tif 000005
【図４】
2004041489.tif 000006
【図５】
2004041489.tif 000007